(57)【要約】【課題】特定の装置に接続が集中することを抑制しつつ、周囲の人に迷惑をかけにくくすることが可能な携帯電話端末を提供することである。【解決手段】操作部５には、機能を制限する旨の制限要求を配信する配信操作が行われる。制限信号処理部６は、操作部５に対して配信操作が行われた場合、制限要求を生成する。ＷＬＡＮ送受信部４は、制限信号処理部６が生成した制限要求を同報通信により配信する。【選択図】図１
2012142904.tif 000002
【特許請求の範囲】
【請求項１】
機能を制限する旨の制限要求を配信する配信操作が行われる操作部と、
前記操作部に対して前記配信操作が行われた場合、前記制限要求を生成する処理部と、
前記制限要求を同報通信により配信する通信部と、を有する携帯端末。
【請求項２】
前記通信部は、他の携帯端末から同報通信により配信された前記制限要求を受信し、
前記通信部が前記制限要求を受信した場合、当該制限要求に応じて機能を制限する制御部をさらに有する請求項１に記載の携帯端末。
【請求項３】
前記通信部は、無線アクセスポイントを介して、当該無線アクセスポイントの通信圏内に存在する携帯端末に前記制限要求を同報通信により配信する、請求項１または２に記載の携帯端末。
【請求項４】
前記機能は、着信があった旨を通知する着信通知機能、撮影を行うカメラ機能、および、音声を録音する録音機能のうち少なくとも一つの機能を有する、請求項１ないし３のいずれか１項の携帯端末。
【請求項５】
操作部を有する携帯端末による機能制限方法であって、
機能を制限する旨の制限要求を配信する配信操作が前記操作部に対して行われた場合、前記制限要求を生成する生成ステップと、
前記制限要求を同報通信により配信する配信ステップと、を含む機能制限方法。
【請求項６】
他の携帯端末から同報通信により配信された前記制限要求を受信する受信ステップと、
前記制限要求が受信された場合、当該制限要求に応じて機能を制限する制限ステップと、を含む請求項５に記載の機能制限方法。
【請求項７】
前記配信ステップでは、無線アクセスポイントを介して、当該無線アクセスポイントの通信圏内に存在する携帯端末に前記制限要求を同報通信により配信する、請求項５または６に記載の機能制限方法。
【請求項８】
前記機能は、着信があった旨を通知する着信通知機能、撮影を行うカメラ機能、および、音声を録音する録音機能のうち少なくとも一つの機能を有する、請求項５ないし８のいずれか１項の機能制限方法。
【発明の詳細な説明】
【技術分野】
【０００１】
本発明は、機能の利用を制限することが可能な携帯電話端末に関する。
【背景技術】
【０００２】
電車の車両内や会議中などにおいて、携帯電話端末から着信音が出力されると、周囲の人に迷惑がかかることがある。このため、携帯電話端末には、着信音の代わりに振動によって着信を通知するマナーモードや、着信を拒否して着信の通知を行わない公共モードのような着信音を出力しない通知制限モードが備わっていることが多い。携帯電話端末の使用者は、周囲の状況に応じて通知制限モードを設定することで、周囲の人に迷惑をかけにくくすることができる。
【０００３】
しかしながら、携帯電話端末に対する通知制限モードの設定は使用者が手動で行わなければならないため、使用者が通知制限モードを設定し忘れて、周囲の人に迷惑をかけてしまうことがあった。また、通知制限モードが設定されても、その通知制限モードが周囲の状況に合わず、結局周囲の人に迷惑をかけてしまうことがあった。例えば、マナーモードが設定されていれも、周囲が静かな場合、振動で発生する音によって周囲の人に迷惑をかけてしまうことがある。
【０００４】
これに対して特許文献１には、着信の通知方法を自動的に切り替えることが可能な情報提示制御装置が記載されている。情報提示制御装置は、携帯電話端末に備わっており、近距離無線通信を用いて周辺の人が所持する周辺装置を探索し、見つけ出した周辺装置と接続する。その後、情報提示制御装置は、接続した周辺装置から着信の通知方法を示す通知種別を取得し、その取得した通知種別に基づいて、携帯電話端末による着信の通知方法を切り替える。
【０００５】
これにより、電車の乗客や会議の参加者などが周辺装置を所持していれば、使用者が通知制限モードを手動で設定しなくても、周囲の人に迷惑をかけなくすることができる。
【先行技術文献】
【特許文献】
【０００６】
【特許文献１】特開２００７−３２５１５８号公報
【発明の概要】
【発明が解決しようとする課題】
【０００７】
特許文献１に記載の技術では、携帯電話端末に備わった情報提示制御装置が周辺装置を探索して個別に接続しなければならないため、携帯電話端末が複数あると、周辺装置への接続が集中して周辺装置の負荷が過大になるという問題がある。
【０００８】
本発明の目的は、特定の装置に接続が集中することを抑制しつつ、周囲の人に迷惑をかけにくくすることが可能な携帯電話端末および機能制限方法を提供することである。
【課題を解決するための手段】
【０００９】
本発明による携帯電話端末は、機能を制限する旨の制限要求を配信する配信操作が行われる操作部と、前記操作部に対して前記配信操作が行われた場合、前記制限要求を生成する処理部と、前記制限要求を同報通信により配信する通信部と、を有する。
【００１０】
本発明による機能制限方法は、操作部を有する携帯端末による機能制限方法であって、機能を制限する旨の制限要求を配信する配信操作が前記操作部に対して行われた場合、前記制限要求を生成する生成ステップと、前記制限要求を同報通信により配信する配信ステップと、を含む。
【発明の効果】
【００１１】
本発明によれば、特定の装置に接続が集中することを抑制しつつ、周囲の人に迷惑をかけにくくすることが可能になる。
【図面の簡単な説明】
【００１２】
【図１】本発明の第１の実施形態の携帯電話端末の構成を示すブロック図である。
【図２】配信操作を説明するための説明図である。
【図３】送信側端末の動作の一例を説明するためのフローチャートである。
【図４】受信側端末の動作の一例を説明するためのフローチャートである。
【図５】本発明の第２の実施形態の通信システムの構成を示すブロック図である。
【発明を実施するための形態】
【００１３】
以下、本発明の実施形態について図面を参照して説明する。なお、以下の説明では、同じ機能を有するものには同じ符号を付け、その説明を省略する場合がある。
【００１４】
図１は、本発明の第１の実施形態の携帯電話端末の構成を示すブロック図である。図１において、携帯電話端末１０は、アンテナ部１と、無線部２と、ＷＬＡＮアンテナ部３と、ＷＬＡＮ送受信部４と、操作部５と、制限信号処理部６と、制御部７と、表示部８とを有する。
【００１５】
アンテナ部１は、電話回線網経由でデータの送受信を行うためのアンテナである。無線部２は、発着呼や音声通話データのような電話回線用のデータの送受信をアンテナ部１経由で行う。
【００１６】
ＷＬＡＮアンテナ部３は、近距離無線通信網であるＷＬＡＮ（Wireless Local Area Network）経由でデータの送受信を行うためのアンテナである。
【００１７】
ＷＬＡＮ送受信部４は、ＷＬＡＮ用のデータの送受信をＷＬＡＮアンテナ部３経由で行う通信部である。本実施形態では、ＷＬＡＮ送受信部４は、携帯電話端末１０の機能を制限するための制限要求である機能制限信号の同報通信による送受信をＷＬＡＮアンテナ部３経由で行う。携帯電話端末１０の機能は、例えば、着信した旨を通知する着信通知機能、撮影を行うカメラ機能、録音を行う録音機能などである。
【００１８】
操作部５は、使用者が種々の操作を行うためのユーザインターフェースである。使用者が行う操作としては、機能制限信号の配信を行う配信操作や、機能の制限を解除する解除操作などが挙げられる。
【００１９】
操作部５に対して配信操作が行われた場合、制限信号処理部６と、その配信操作に応じた機能制限信号を生成する。
【００２０】
例えば、図２に示すように、機能の制限内容を選択する選択画面２００が表示部８に表示されているとする。選択画面２００は、機能の制限内容を示す選択項目２０１を有する。選択項目２０１の「マナーモード設定」、「サイレントモード設定」および「公共モード設定」は、着信音による着信通知を制限することを示す。より具体的には、「マナーモード設定」は、着信音を出力せずにバイブレーションで着信を通知することを示し、「サイレントモード設定」は、着信音でもバイブレーションでも着信の通知を行わないことを示し、「公共モード設定」は、着信を拒否することを示す。また、選択項目２０１の「カメラ機能」は、カメラによる撮像を制限することを示す。
【００２１】
配信操作として選択項目２０１の少なくとも一つを選択する選択操作が行われると、制限信号処理部６は、選択操作にて選択された選択項目の制限内容を示す機能制限信号を生成する。
【００２２】
図１の説明に戻る。制御部７は、携帯電話端末１０の各部を制御して、機能を制限するための機能制限処理などの種々の処理を行う。
【００２３】
例えば、制限信号処理部６が機能制限信号を生成した場合、制御部７は、同報通信を用いて、その機能制限信号をＷＬＡＮ送受信部４から配信させる。このとき、制御部７は、操作部５に対して解除操作が行われるまで、常にまたは定期的に機能制限信号を配信し続ける。
【００２４】
また、他の携帯電話端末から同報通信により配信された機能制限信号をＷＬＡＮ送受信部４が受信した場合、制御部７は、その受信された機能制限信号に応じて機能を制限する。このとき、制御部７は、機能制限信号の受信が終了するまで機能の制限を続行し、機能制限信号の受信が終了すると、機能の制限を解除する。
【００２５】
表示部８は、種々の情報を表示する。例えば、制御部７にて機能が制限された場合、現在機能が制限中である旨のメッセージを表示する。
【００２６】
次に携帯電話端末１０の動作を説明する。以下では、図２で示した選択項目２０１のうち、「マナーモード設定」、「サイレントモード設定」および「公共モード設定」のいずれか一つのみが選択可能であるとする。
【００２７】
図３は、機能制限信号を送信する携帯電話端末１０である送信側端末の動作の一例を説明するためのフローチャートである。
【００２８】
先ず、送信側端末の使用者は、操作部５に対して機能の制限内容を選択する選択操作を行う。操作部５は選択操作に応じた操作信号を制御部７に出力する。制御部７は、操作信号を受け付けると、その操作信号を制限信号処理部６に出力する（ステップＡ１）。
【００２９】
制限信号処理部６は、操作信号を受け付けると、その操作信号に応じた機能制限信号を生成し、制御部７に出力する（ステップＡ２）。
【００３０】
制御部７は、機能制限信号を受け付けると、その機能制限信号をＷＬＡＮ送受信部４に出力する。ＷＬＡＮ送受信部４は、機能制限信号を受け付けると、その機能制限信号を同報通信によってＷＬＡＮアンテナ部３から配信する（ステップＡ３）。
【００３１】
図４は、機能制限信号を受信する携帯電話端末１０である受信側端末の動作の一例を説明するためのフローチャートである。
【００３２】
受信側端末では、ＷＬＡＮ送受信部４は、ステップＡ３で配信された機能制限信号をＷＬＡＮアンテナ部３経由で受信し、その機能制限信号を制御部７に出力する。そして、制御部７は、機能制限信号を受け付ける（ステップＢ１）。
【００３３】
制御部７は、機能制限信号を制限信号処理部６に出力する。制限信号処理部６は、機能制限信号を受け付けると、その機能制限信号が示す制限内容を確認する（ステップＢ２）。
【００３４】
制限信号処理部６は、確認した制限内容を制御部７に通知する。制御部７は、その通知された制限内容に応じて、機能を制限する制限処理を行う（ステップＢ３）。
【００３５】
ここでは、制御部７は、制限処理により、「マナーモード」、「サイレントモード」および「公共モード」のいずれかを携帯電話端末１０に設定することにより、着信音による着信通知機能を制限する（ステップＢ４）。
【００３６】
制御部７は、制御処理を行うと、機能が制限中である旨のメッセージを生成して表示部８に表示する（ステップＢ５）。
【００３７】
また、制御部７は、制限処理を行うと、機能制限信号を最後に受け付けてから所定時間以上経過したか否かを判断する（ステップＢ６）。
【００３８】
所定時間以上経過する前に機能制限信号をさらに受け付けた場合、制御部７は、ステップＢ２の処理に戻る。この場合、ステップＢ２において機能制限信号が示す制限内容が確認されるので、機能の制限内容が変更されても、その変更に合わせて機能の制限内容を切り替えることができる。
【００３９】
一方、所定時間以上経過しても機能制限信号を受け付けなかった場合、制御部７は、機能制限信号の受信が終了したと判断して、ステップＢ４で行われた着信通知機能の制限を解除する（ステップＢ７）。機能制限信号の受信は、送信側端末にて機能制限信号の配信が停止されたり、受信側端末が送信側端末による近距離無線通信の通信圏内から外れると、停止される。
【００４０】
なお、本動作では、着信通知機能のみ機能制限の対象としていたが、カメラ機能や録音機能を機能制限の対象としてもよい。これら場合、制御部７は、機能制限として、カメラの起動を禁止したり、動画像の撮像のみを禁止したり、録音を禁止することができる。
【００４１】
以上説明したように本実施形態によれば、ＷＬＡＮ送受信部４は、機能を制限する旨の機能制御信号を同報通信にて配信するので、携帯電話端末１０が特定の装置に接続しなくても、使用者が通知制限モードを設定し忘れてたりしても周囲の人に迷惑をかけにくくすることが可能になる。したがって、特定の装置に接続が集中することを抑制しつつ、周囲の人に迷惑をかけにくくすることが可能になる。
【００４２】
また、本実施形態では、着信機能だけでなく、カメラ機能や録音機能などの制限することが可能になるので、撮像や録音が禁止したい場面などに細やかな状況に応じて機能を制限することが可能になる。
【００４３】
また、本実施形態では、機能制御信号の送信側の携帯電話端末も、機能制御信号の受信側の携帯電話端末も同じ構成とすることができる。
【００４４】
次に第２の実施形態について説明する。
【００４５】
図５は、本実施形態における通信システムを示す図である。図５において、通信システムは、携帯電話端末１０１〜１０５と、無線アクセスポイント１１１とを有する。また、携帯電話端末１０１〜１０５は、図１に示した携帯電話端末１０と同じ構成を有する。なお、本実施形態では、携帯電話端末１０１を送信側端末、携帯電話端末１０２〜１０４を受信側端末としている。
【００４６】
送信側端末１０１のＷＬＡＮ送受信部４は、無線アクセスポイント１１１を介して機能制御信号を同報通信により配信する。これにより、送信側端末１０１の近距離無線通信の通信圏内に存在しないが、無線アクセスポイント１１１の通信圏内に存在する受信側端末１０２に機能制御信号を配信することが可能になるので、携帯電話端末の機能を制限する範囲をより広範囲にすることが可能になる。
【００４７】
以上説明した各実施形態において、図示した構成は単なる一例であって、本発明はその構成に限定されるものではない。
【産業上の利用可能性】
【００４８】
本発明は、心臓ペースメーカーの使用者が近くにいる場合に一定範囲内に機能制限信号を送信して携帯電話端末による通信機能を制限する用途に適用できる。また、携帯電話端末が一定範囲内に存在する他の携帯電話端末に対してメッセージや情報を一斉に送信するといった用途にも適用可能である。
【符号の説明】
【００４９】
１        アンテナ部
２        無線部
３        ＷＬＡＮアンテナ部
４        ＷＬＡＮ送受信部
５        操作部
６        制限信号処理部
７        制御部
８        表示部
１０、１０１〜１０５      携帯電話端末
１１１    無線アクセスポイント
【図１】
2012142904.tif 000003
【図２】
2012142904.tif 000004
【図３】
2012142904.tif 000005
【図４】
2012142904.tif 000006
【図５】
2012142904.tif 000007